(57)【特許請求の範囲】
【請求項１】
ユニット家具の支持脚構造であって、該支持脚は、上記ユニット家具の側板の下端木口と略同一幅で、長さが上記側板の奥行き方向の長さと略同一長である直方体の左右側面を断面略Ｃ字形の凹面部とした形状とされ、上記側板の下端に上記支持脚が連設されてなるユニット家具の支持脚構造。
【請求項２】
上記支持脚の下面の幅を上面の幅よりも狭く形成してなる請求項１に記載のユニット家具の支持脚構造。
【請求項３】
上記支持脚の上面に刺突部を植設するとともに、該刺突部をユニット家具の側板の下端木口に打入することにより、上記側板の下端に上記支持脚が連設されてなる請求項１に記載のユニット家具の支持脚構造。
【請求項４】
上記支持脚の下部が適当な間隔で切り欠かれて貫通部とされた請求項１に記載のユニット家具の支持脚構造。
【発明の詳細な説明】
【技術分野】
【０００１】
本発明は、ユニット家具の支持脚に関する。さらに詳しくは、洗面化粧台等のユニット家具を支持する支持脚の構造に関する。
【背景技術】
【０００２】
従来から、キッチンユニットや洗面化粧台等のユニット家具は、床面に支持脚を介して設置されることが多く、下記特許文献１には上記支持脚をボルト状の高さ調節部材で形成し、この高さ調節部材を隠すためのプレートが側板の下部に側板に沿って前後にスライド自在に設けられたキャビネットが開示されている。
【特許文献１】特開２００１−１６９８４３号公報（第１〜３頁、第１図、第４図、第１０図）
【発明の開示】
【発明が解決しようとする課題】
【０００３】
上記、洗面化粧台等のユニット家具を浴室等に近接して床面に設置すると、例えば、洗面キャビネットの側板に結露が生じたり、あるいは洗面時の跳ね水が側板に付着し、伝い水となり側板に沿って流れ落ちる現象がみられる。しかし、本願図５に模式的に示すように、伝い水は側板のエッジ部では表面張力が働くため、水滴Ｗとなって直ちに滴下することなくしばらく滞留し、この間に側板の木口から内部に水分が浸透して、膨潤し、側板の表面化粧板の色が変わったり、剥がれたりするという問題が生じる。
【０００４】
本発明はこのような問題を解決するためになされたものであって、上記した伝い水をスムースに流下させ、ユニット家具の側板の水分による損傷を防ぐとともに、意匠性よくユニット家具を支持することのできる支持脚の構造を提供することを、その課題とする。
【課題を解決するための手段】
【０００５】
上記課題を解決するために、本発明においては、つぎのような技術的手段を講じている。すなわち、請求項１に記載の発明によれば、ユニット家具の支持脚構造であって、該支持脚は、上記ユニット家具の側板の下端木口と略同一幅で、長さが上記側板の奥行き方向の長さと略同一長である直方体の左右側面を断面略Ｃ字形の凹面部とした形状とされ、上記側板の下端に上記支持脚が連設されてなるユニット家具の支持脚構造が提供される。上記支持脚としては、プラスチックス、硬質ゴム等腐食しない材質から形成されたものが好ましく用いられる。
【０００６】
請求項２に記載のユニット家具の支持脚構造は、請求項１に記載の発明に加えて、上記支持脚の下面の幅を上面の幅よりも狭く形成することが好ましい。
【０００７】
請求項３に記載のユニット家具の支持脚構造は、請求項１に記載の発明に加えて、上記支持脚の上面に刺突部を植設するとともに、該刺突部をユニット家具の側板の下端木口に打入することにより、上記側板の下端に支持脚が連設されてなることが好ましい。
【０００８】
請求項４に記載のユニット家具の支持脚構造は、請求項１に記載の発明に加えて、上記支持脚の下部を適当な間隔で切り欠き、貫通部が設けられる。
【発明の効果】
【０００９】
請求項１に記載の発明にかかるユニット家具の支持脚構造は上記のとおりであり、支持脚は、ユニット家具の側板の下端木口と略同一幅で、長さが上記側板の奥行き方向の長さと略同一長である直方体の左右側面を断面略Ｃ字形の凹面部とした形状とするとともに、上記支持脚は上記側板の下端に連設され、側板の側面部と支持脚の側面部である断面略Ｃ字型の凹面部とはエッジ部が生じることなく滑らかに連続するため、伝い水をスムースに流下させることができる。
【００１０】
請求項２に記載のユニット家具の支持脚構造は上記のとおりであり、請求項１のユニット家具の支持脚構造の有する効果に加え、上記支持脚の下面の幅を上面の幅よりも狭く形成してなり、上記支持脚の断面が先細形状となるため、伝い水が下方に向かって流れ易く、また、意匠性にも優れたものとなる。
【００１１】
請求項３に記載のユニット家具の支持脚構造は上記のとおりであり、請求項１のユニット家具の支持脚構造の有する効果に加え、上記支持脚の上面に刺突部を植設するとともに、該刺突部を側板の下端木口に打入することにより、側板下端に支持脚が連設されるため、下端木口から水分が内部に浸透し、側板が膨潤したり、側板の表面化粧板の変色や、剥がれが生じることを防ぐ。
【００１２】
請求項４に記載のユニット家具の支持脚構造は上記のとおりであり、請求項１のユニット家具の支持脚構造の有する効果に加え、上記支持脚の下部を適当な間隔で切り欠き、貫通部を設けてなるため、ユニット家具の側板の水分による損傷を防ぐことができるとともに、ユニット家具の底版と床面との隙間の通気性を向上させ、清潔に保つことができる。
【発明を実施するための最良の形態】
【００１３】
以下、本発明の実施形態について図面を参照して、詳細に説明する。図１は本発明の第１実施形態にかかるユニット家具の支持脚構造Ａを示す分解斜視図である。図１に示すように、支持脚１はユニット家具の側板４の下端木口４１の幅と略同一幅で、長さが上記側板４の奥行き方向の長さと略同一長とした直方体の左右側面を断面略Ｃ字形の凹面部１１とした形状を有し、その上面１２には刺突部２が植設されている。この刺突部２を側板４の下端木口４１に打入することにより、支持脚１をユニット家具の側板４の下端にしっかりと取り付けることができる。
【００１４】
図２は上記側板４に支持脚１を連設した第１実施形態にかかる支持脚構造Ａを示す正面図であり、図２に示すように、上記支持脚１の下面１３の幅は上面１２の幅よりも狭くされている。また、図２において、側板４の側面部４２と支持脚１の側面部である断面略Ｃ字型の凹面部１１とはエッジ部を生じることなく滑らかに連続して結合しているため、伝い水が滞留して前出の水滴Ｗを形成せずに上記凹面部１１をスムースに伝わることができる。
【００１５】
さらに、上記支持脚１は、その下面１３の幅が上面１２の幅よりも狭く形成され、先細とされているため、伝い水は凹面部１１を伝わるとともに、この先細部を下方に向けて容易に流下する。本発明にかかる支持脚１は上記のように構成され、伝い水が滞留することがないため、側板４の下端木口４１が膨潤したり、側板４の表面化粧板の変色や、剥がれが生じるおそれをなくすことができる。
【００１６】
図３は本発明の第２実施形態にかかるユニット家具の支持脚構造Ｂを示す分解斜視図である。第２実施形態においては、第１実施形態における支持脚１の下部を切り欠いて貫通部３とされている。図３に示すように、貫通部３が設けられているため、上記した第１実施形態の支持脚構造Ａの有する水分による側板の損傷を防ぐ効果に加え、ユニット家具の底版と床面との通気性を向上させることができる。
【００１７】
図４は、ユニット家具としての洗面キャビネット５に第１実施形態にかかる支持脚構造Ａを適用した実施例を示す斜視図である。図４に示されているように、本発明にかかるユニット家具の支持脚構造Ａを上記洗面キャビネット５に適用することにより、洗面キャビネット５が支持脚１によって、意匠性よく支持されていることが明らかである。なお、第１、第２実施形態においては、上記側板４の下端に支持脚１が刺突部２を打入することにより連設された形態を示したが、これに限定されず、接着剤等他の連設手段を用いることも可能である。このように、本発明は種々設計変更可能であり、特許請求の範囲を逸脱しない限り、いずれも本発明の技術的範囲に含まれる。
【図面の簡単な説明】
【００１８】
【図１】本発明の第１実施形態にかかるユニット家具の支持脚構造を示す分解斜視図である。
【図２】本発明の第１実施形態にかかるユニット家具の支持脚構造を示す正面図である。
【図３】本発明の第２実施形態にかかるユニット家具の支持脚構造を示す分解斜視図である。
【図４】洗面キャビネットに第１実施形態にかかる支持脚構造を適用した実施例を示す斜視図である。
【図５】従来の支持脚によって支持されたユニット家具において側板を伝わる伝い水が滞留し水滴となった状態を示す模式図である。
【符号の説明】
【００１９】
Ａ          本発明の第１実施形態にかかるユニット家具の支持脚構造
Ｂ          本発明の第２実施形態にかかるユニット家具の支持脚構造
１          支持脚
１１        凹面部
１２        上面
１３        下面
２          刺突部
３          貫通部
４          側板
４１        下端木口
４２        側面部
５          洗面キャビネット
Ｗ          水滴
【図１】
0004577204.tif 000002
【図２】
0004577204.tif 000003
【図３】
0004577204.tif 000004
【図４】
0004577204.tif 000005
【図５】
0004577204.tif 000006